(57)【特許請求の範囲】
【請求項１】
設置面に対して傾斜させて側面視でＶ字型又は逆ハの字型を形成するように、且つ、前記Ｖ字型又は前記逆ハの字型が連続するように設置される複数枚のソーラーパネルと、
複数枚の前記ソーラーパネルを、前記Ｖ字型又は前記逆ハの字型が連続することで形成されるΛ字型又はハの字型の峰で連結する連結部材と、を備え、
前記連結部材は、支柱なしで配置され、
複数枚の前記ソーラーパネルは、前記連結部材を介して互いに支持し合い、
さらに、
前記複数枚のソーラーパネルを、前記Λ字型又は前記ハの字型の峰方向に連続するように設置し、
前記連結部材として、
前記峰に配置され、前記Λ字型又は前記ハの字型を形成する一方の側で峰方向に連続する複数枚の前記ソーラーパネルを互いに連結する部材であり、かつ、前記Λ字型又は前記ハの字型を形成する他方の側のソーラーパネルにおける前記峰部分が載せられる第一連結部材と、
前記他方の側のソーラーパネルの各々に対応させて前記第一連結部材に着脱可能に固定される部材であって、前記第一連結部材に載せられた前記他方の側の前記ソーラーパネルを個別に取外し可能に前記一方の側の前記ソーラーパネルに連結する第二連結部材と、を備え、
前記他方の側の前記ソーラーパネルの各々は、前記峰部分が前記第一連結部材に載せられた状態で前記第二連結部材が該第一連結部材へ固定されることで、前記一方の側の前記ソーラーパネルに個別に連結するものであり、かつ、前記第二連結部材の前記第一連結部材への固定が解除されることで、個別に一枚ずつ取り外すことが可能なものであることを特徴とする、
ソーラーパネルの設置構造。
【請求項２】
前記Ｖ字型又は前記逆ハの字型を形成する一方の側の前記ソーラーパネルを、北東から南東までの方位に向けて設置し、
前記Ｖ字型又は前記逆ハの字型を形成する他方の側の前記ソーラーパネルを、南西から北西までの方位に向けて設置し、
前記ソーラーパネルの水平面となす傾斜角度は、１８度以上２６度以下であることを特徴とする、
請求項１に記載のソーラーパネルの設置構造。
【請求項３】
前記Ｖ字型又は前記逆ハの字型を形成する一方の側の前記ソーラーパネルを、南東から南西までの方位に向けて設置し、
前記Ｖ字型又は前記逆ハの字型を形成する他方の側の前記ソーラーパネルを、北西から北東までの方位に向けて配置することを特徴とする、
請求項１に記載のソーラーパネルの設置構造。
【請求項４】
前記設置面に設けられ、前記複数枚のソーラーパネルが着脱可能に引っ掛けられることで、該複数枚のソーラーパネルを前記設置面に設置する設置部材を備えることを特徴とする、
請求項１〜３のいずれかに記載のソーラーパネルの設置構造。
【請求項５】
前記Λ字型又は前記逆ハの字型を形成する前記ソーラーパネルの背面と前記設置面との間に形成される空間を該ソーラーパネルの側方から閉塞する閉塞部材を備えることを特徴とする、
請求項１〜３のいずれかに記載のソーラーパネルの設置構造。
【発明の詳細な説明】
【技術分野】
【０００１】
本発明は、ソーラーパネルの設置構造に関する。
【背景技術】
【０００２】
従来、ソーラーパネルを設置した家庭や企業などから、発電した電力から消費した電力を差し引いた余剰電力を電力会社が買い取る余剰電力買取制度がある（非特許文献１参照）。企業などが設置する非住宅用のものについては、法改正により、平成２４年７月に、従来の余剰電力買取制度から、発電した電力の全てを買い取る全量買取制度（固定価格買取制度）に移行する（非特許文献２参照）。
【先行技術文献】
【特許文献】
【０００３】
【特許文献１】特開２０１２−０８００１８号公報（図３参照）
【非特許文献】
【０００４】
【非特許文献１】東京電力、［online］、トップページ＞電気料金・各種お手続：個人のお客さま＞電気料金＞資料＞新エネルギー等からの電力購入＞太陽光発電の余剰電力買取制度について、［平成２４年６月４日検索］、インターネット（ＵＲＬ：http://www.tepco.co.jp/e-rates/individual/shin-ene/taiyoukou/index-j.html）
【非特許文献２】経済産業省  資源エネルギー庁、［online］、トップページ＞なっとく！再生可能エネルギー＞買取制度、［平成２４年６月４日検索］、インターネット（ＵＲＬ：http://www.enecho.meti.go.jp/saiene/kaitori/index.html）
【発明の概要】
【発明が解決しようとする課題】
【０００５】
非住宅用のものについて全量買取制度に移行することで、売電収入を増やすことができるなど、ソーラーパネルを設置する企業などにとってメリットが増大すると予想される。また、東北地方太平洋沖地震を端緒とする福島第一原子力発電所事故による電力不足などに起因して、電気代の高騰が予想される。このため、ソーラーパネルを設置する企業などは、より多くのソーラーパネルを設置してより多くの電力を発電することで、多くの売電収入を得、高騰する電気代をまかなうものと考えられる。
【０００６】
しかしながら、ソーラーパネルは、南に向けて互いに間隔を空けながら設置することが一般的であり、設置面積に応じて一意的に設置枚数が決まる（特許文献１参照）。このため、より多くのソーラーパネルを設置するには、設置面積を広くする必要があった。
【０００７】
本発明は、上記課題を鑑みてなされたものであり、より多くのソーラーパネルを効率的に設置することを可能にするソーラーパネルの設置構造を提供することを目的とする。
【課題を解決するための手段】
【０００８】
（１）本発明は、設置面に対して傾斜させて側面視でＶ字型又は逆ハの字型を形成するように、且つ、前記Ｖ字型又は前記逆ハの字型が連続するように設置される複数枚のソーラーパネルと、複数枚の前記ソーラーパネルを、前記Ｖ字型又は前記逆ハの字型が連続することで形成されるΛ字型又はハの字型の峰で連結する連結部材と、を備え、前記連結部材は、支柱なしで配置され、複数枚の前記ソーラーパネルは、前記連結部材を介して互いに支持し合い、さらに、前記複数枚のソーラーパネルを、前記Λ字型又は前記ハの字型の峰方向に連続するように設置し、前記連結部材として、前記峰に配置され、前記Λ字型又は前記ハの字型を形成する一方の側で峰方向に連続する複数枚の前記ソーラーパネルを互いに連結する部材であり、かつ、前記Λ字型又は前記ハの字型を形成する他方の側のソーラーパネルにおける前記峰部分が載せられる第一連結部材と、前記他方の側のソーラーパネルの各々に対応させて前記第一連結部材に着脱可能に固定される部材であって、前記第一連結部材に載せられた前記他方の側の前記ソーラーパネルを個別に取外し可能に前記一方の側の前記ソーラーパネルに連結する第二連結部材と、を備え、前記他方の側の前記ソーラーパネルの各々は、前記峰部分が前記第一連結部材に載せられた状態で前記第二連結部材が該第一連結部材へ固定されることで、前記一方の側の前記ソーラーパネルに個別に連結するものであり、かつ、前記第二連結部材の前記第一部材への固定が解除されることで、個別に一枚ずつ取り外すことが可能なものであることを特徴とする、ソーラーパネルの設置構造である。
【０００９】
従来のように、複数枚のソーラーパネルを一つの方位に向けて傾斜させて設置する場合、当該ソーラーパネルによって生じる影を避けるように互いに離隔する必要がある。一方、本発明によれば、複数枚のソーラーパネルを側面視でＶ字型又は逆ハの字型を形成するように設置するので、互いに離隔しない場合であっても、当該ソーラーパネルによって影が生じることはない。このため、より多くのソーラーパネルを効率的に設置することができる。
【００１０】
そして、ソーラーパネルに入射した太陽光が反射した場合であっても、当該反射した太陽光が、他のソーラーパネルに向けて照射され、当該他のソーラーパネルで受光される。これにより、ソーラーパネルによる反射損失を低減でき、より多くの電力を発電することができる。このため、ソーラーパネルを向ける方位にとらわれず、当該ソーラーパネルを設置することができる。
【００１１】
また、複数枚のソーラーパネルを平置きする場合、当該ソーラーパネル上に付着した塵埃が汚れとして残り易い。一方、本発明によれば、ソーラーパネルを傾斜させて設置するので、当該ソーラーパネル上に付着した塵埃は、自重によって下方に落下し、汚れになりにくい。また、本発明によれば、ソーラーパネルを傾斜させて設置するので、平置きにする場合と比較して、設置に要する面積が小さくすみ、より多くのソーラーパネルを効率的に設置することができる。
【００１３】
さらに、ソーラーパネルは、Λ字型又はハの字型を形成するので、風が吹き付けられた場合であっても、当該ソーラーパネルを突き上げるように作用する可能性は低く、風によるダメージを受けにくい。このため、陸屋根に設置する場合に、当該陸屋根の外周からソーラーパネルまでの外周離隔距離を、一つの方位に向けて傾斜させて設置する場合と比較して、大幅に狭めることができる。結果、より多くのソーラーパネルを効率的に設置することができる。
【００１５】
そして、連結部材で互いに連結された複数枚のソーラーパネルは、互いに支持し合う。これにより、土台となる骨組（架台）を設けずにソーラーパネルを設置することができる。結果、部品点数や設置作業に要する時間を低減できる。このため、設置時にメリットがでるので、ソーラーパネルの設置を促進することができる。具体的に、架台を設ける場合と比較して、ソーラーパネルを除く部品のコストを５分の１以下にすることができると共に、ソーラーパネルを除く部品の重量を１０分の１以下にすることができる。
【００１７】
また、個別に取外し可能に設置されたソーラーパネルを取り外し、当該ソーラーパネルや他のソーラーパネルをメンテナンスすることができる。そして、ソーラーパネルを取り外した場合であっても、他のソーラーパネルが互いに支持し合っているので、強度的な問題は生じない。
【００１８】
（２）本発明はまた、前記Ｖ字型又は前記逆ハの字型を形成する一方の側の前記ソーラーパネルを、北東から南東までの方位に向けて設置し、前記Ｖ字型又は前記逆ハの字型を形成する他方の側の前記ソーラーパネルを、南西から北西までの方位に向けて設置し、前記ソーラーパネルの水平面となす傾斜角度は、１８度以上２６度以下であることを特徴とする、上記（１）に記載のソーラーパネルの設置構造である。
（３）本発明はまた、前記Ｖ字型又は前記逆ハの字型を形成する一方の側の前記ソーラーパネルを、南東から南西までの方位に向けて設置し、前記Ｖ字型又は前記逆ハの字型を形成する他方の側の前記ソーラーパネルを、北西から北東までの方位に向けて配置することを特徴とする、上記（１）に記載のソーラーパネルの設置構造である。
（４）本発明はまた、前記設置面に設けられ、前記複数枚のソーラーパネルが着脱可能に引っ掛けられることで、該複数枚のソーラーパネルを前記設置面に設置する設置部材を備えることを特徴とする、上記（１）〜（３）のいずれかに記載のソーラーパネルの設置構造である。
【００１９】
上記発明によれば、ソーラーパネルを引っ掛けるだけで、当該ソーラーパネルを設置面に設置することができる。このため、設置作業が容易となる。
【００２０】
（５）本発明はまた、前記Λ字型又は前記逆ハの字型を形成する前記ソーラーパネルの背面と前記設置面との間に形成される空間を該ソーラーパネルの側方から閉塞する閉塞部材を備えることを特徴とする、上記（１）〜（３）のいずれかに記載のソーラーパネルの設置構造である。
【００２１】
上記発明によれば、ソーラーパネルの下方に形成される空間が閉塞されるので、ソーラーパネルに吹き付けられる風が、当該ソーラーパネルを突き上げるように作用する可能性はなく、風によるダメージをより受けにくい。このため、陸屋根に設置する場合に、当該陸屋根の外周からソーラーパネルまでの外周離隔距離を、一つの方位に向けて傾斜させて設置する場合と比較して、より大幅に狭めることができる。結果、より多くのソーラーパネルを効率的に設置することができる。
【発明の効果】
【００２５】
本発明の上記（１）〜（５）に記載のソーラーパネルの設置構造によれば、より多くのソーラーパネルを効率的に設置することができる。
【図面の簡単な説明】
【００２６】
【図１】本発明に係るソーラーパネルの設置構造の外観斜視図である。
【図２】ソーラーパネルの設置構造の側面図である。
【図３】（Ａ）はソーラーパネルを設置面に取り付ける作業を説明する外観斜視図であり、（Ｂ）は金属プレートにおけるボルト孔の形状を示す図である。
【図４】ソーラーパネルを設置面に取り付ける作業を説明する側方断面図であり、設置面がトタン屋根の場合を示す。
【図５】ソーラーパネルを設置面に取り付ける作業を説明する側方断面図であり、設置面がコンクリートブロックの場合を示す。
【図６】ソーラーパネルを連結する作業を説明する外観斜視図である。
【図７】ソーラーパネルを連結する作業を説明する側方断面図である。
【図８】実施例１を説明する図であり、（Ａ）はソーラーパネルの設置構造を示す概略図であり、（Ｂ）は月別発電量を示す棒グラフであり、（Ｃ）は月別発電量を示すグラフである。
【図９】実施例２を説明する図であり、（Ａ）はソーラーパネルの設置構造を示す概略図であり、（Ｂ）は月別発電量を示す棒グラフであり、（Ｃ）は月別発電量を示すグラフである。
【図１０】比較例を説明する図であり、（Ａ）はソーラーパネルの設置構造を示す概略図であり、（Ｂ）は月別発電量を示す棒グラフであり、（Ｃ）は月別発電量を示すグラフである。
【図１１】別の実施形態に係るソーラーパネルの設置構造を示す概略図である。
【図１２】（Ａ）〜（Ｃ）は金属プレートの変形例を示す概略図である。
【図１３】（Ａ）及び（Ｂ）は金具の変形例を示す概略図である。
【発明を実施するための形態】
【００２７】
以下、図面を参照して、本発明に係るソーラーパネルの設置構造について詳細に説明する。
【００２８】
まず、図１〜図７を用いて、ソーラーパネル１の設置構造２の構成について説明する。図１は、ソーラーパネル１の設置構造２の外観斜視図である。図２は、ソーラーパネル１の設置構造２の側面図である。図３（Ａ）は、ソーラーパネル１を設置面３に取り付ける作業を説明する外観斜視図である。図３（Ｂ）は、金属プレート４におけるボルト孔の形状を示す図である。図４は、ソーラーパネル１を設置面３に取り付ける作業を説明する側方断面図であり、設置面３がトタン屋根３ａの場合を示す。図５は、ソーラーパネル１を設置面３に取り付ける作業を説明する側方断面図であり、設置面３がコンクリートブロック３ｂの場合を示す。図６は、ソーラーパネル１を連結する作業を説明する外観斜視図である。図７は、ソーラーパネル１を連結する作業を説明する外観斜視図である。なお、各図において、図面の簡略化のため、一部の構成の図示を適宜省略する。
【００２９】
図１及び図２に示されるように、複数枚のソーラーパネル１は、それぞれ、矩形状を呈する。これらのソーラーパネル１は、一人で持ち運ぶことができる重量であることが好ましい。すなわち、ソーラーパネル１の重量は、１枚当たり１５ｋｇ〜２０ｋｇ程度までであることが好ましい。また、ソーラーパネル１の強度は、積雪１ｍ程度まで耐えられる強度であることが好ましく、積雪２ｍ程度まで耐えられる強度であることがより好ましい。このようなソーラーパネル１には、カナディアン・ソーラー・ジャパン株式会社（東京都新宿区）が市販する太陽電池モジュール（例えば、ＣＳ５ＡシリーズやＣＳ６Ｐシリーズ等）を採用できる。なお、本実施形態は、陸屋根を設置面３としてソーラーパネル１を設置する場合を例に説明するが、地面や傾斜屋根を設置面３としてもよい。また、設置面３は、平らな面に限定されず、凸凹した面であってもよい。
【００３０】
本設置構造２では、複数のソーラーパネル１を、設置面３に対して傾斜させて側面視でΛ字型が連続するように設置している。言い換えると、本設置構造２では、複数のソーラーパネル１を、設置面３に対して傾斜させて側面視でＶ字型を形成すると共に当該Ｖ字型が連続するように設置している。そして、本設置構造２では、複数枚のソーラーパネル１を、Ｖ字型の谷方向（図１における左下と右上とを結ぶ方向、図２における奥行きの方向）に連続するように設置している。
【００３１】
Ｖ字型を形成する一方の側のソーラーパネル１は、所定の方位Ｄ１に向けて設置される。そして、Ｖ字型を形成する他方の側のソーラーパネル１は、方位Ｄ１と反対の方位Ｄ２（例えば、方位Ｄ１が東の場合、方位Ｄ２は西）に向けて設置される。
【００３２】
一つ目の観点からすると、一方の方位Ｄ１は、北東から南東までの方位であることが好ましく、この場合、他方の方位Ｄ２は、南西から北西までの方位となる。そして、一方の方位Ｄ１は、東北東から東南東までの方位であることがより好ましく、この場合、他方の方位Ｄ２は、西南西から西北西までの方位となる。また、一方の方位Ｄ１は、東であることが最も好ましく、この場合、他方の方位Ｄ２は、西となる。
【００３３】
あるいは、二つ目の観点からすると、一方の方位Ｄ１は、南東から南西までの方位であることが好ましく、この場合、他方の方位Ｄ２は、北西から北東までの方位となる。そして、一方の方位Ｄ１は、南南東から南南西までの方位であることがより好ましく、この場合、他方の方位Ｄ２は、北北西から北北東までの方位となる。また、一方の方位Ｄ１は、南であることが最も好ましく、この場合、他方の方位Ｄ２は、北となる。
【００３４】
水平面となすソーラーパネル１の傾斜角度αは、太陽光ＳＬ１の照射角度、すなわち、設置される場所の緯度に応じて設定される。日本（特に、関東地方）に設置する場合であって、一方の方位Ｄ１を北東から南東までの方位とし、他方の方位Ｄ２を南西から北西までの方位とするとき、ソーラーパネル１の傾斜角度αは、１８度以上２６度以下であることが好ましく、２０度以上２４度以下であることがより好ましい。
【００３５】
図３（Ａ）、図４及び図５に示されるように、本設置構造２は、設置面３（トタン屋根３ａ、コンクリートブロック３ｂ）にボルト固定された金属プレート４に、対のソーラーパネル１が着脱可能に引っ掛けられることで、Ｖ字型を形成する。すなわち、金属プレート４は、複数枚のソーラーパネル１が着脱可能に引っ掛けられることで、当該複数枚のソーラーパネル１を設置面３に設置する設置部材として機能する。
【００３６】
ソーラーパネル１には、金属プレート４に引っ掛けるための金具５が適宜ボルト固定されている。そして、ソーラーパネル１は、二枚の金属プレート４に跨って引っ掛けられる。金属プレート４は、傾斜角度αと同じ角度ずつ二か所で折り曲げられた形状を呈し、三つの面を有する。金属プレート４における真ん中の面には、ボルト孔４ａが適宜形成されている。本実施形態の金属プレート４は、ソーラーパネル１よりも短い長さに設定されているが、ソーラーパネル１と同じ長さに設定し、強度を高めるようにしてもよい。なお、谷方向の両側（図３における左下端及び右上端）の金属プレート４は、他の金属プレート４の半分の長さである。
【００３７】
図３（Ｂ）に示されるように、金属プレート４におけるボルト孔４ａは、長孔の一端（図面における右端）が若干大きな円形となる形状を呈する。ボルト孔４ａにおける円形部分に挿入されたボルトは、長孔の他端（図面における左端）にスライドされることで、ボルト孔４ａに固定される。これにより、ボルトの落下が防止され、作業が容易となる。
【００３８】
図３（Ａ）、図４及び図５に戻って説明する。金属プレート４における両側の二つの面には、それぞれ、ソーラーパネル１を引っ掛けるための矩形孔４ｂが適宜形成されている。すなわち、金属プレート４の矩形孔４ｂには、ソーラーパネル１にボルト固定された金具５が挿脱される。
【００３９】
図６及び図７に示されるように、本設置構造２は、複数枚のソーラーパネル１を、Λ字型の峰で連結する。
【００４０】
Λ字型を形成する一方の側（図６における右下側、図７における右側）のソーラーパネル１には、他方の側（図６における左上側、図７における左側）のソーラーパネル１を連結するための金属プレート４が適宜ボルト固定されている。金属プレート４は、設置面３にボルト固定されている金属プレート４と共通の部品であり、設置面３にボルト固定されているものを、上下反転させた状態で用いられている。金属プレート４同士は、間隔を空けて固定されており、隙間を形成している。これにより、ソーラーパネル１の背面と設置面３との間の空間に熱がこもることを防止する。金属プレート４における矩形孔４ｂは、ソーラーパネル１にボルト固定するためのボルト孔として機能する。金属プレート４におけるボルト孔４ａは、後述する金具６をボルト固定する際に利用される。
【００４１】
金属プレート４は、Λ字型を形成する一方の側で峰方向（図６における左下と右上とを結ぶ方向、図７における奥行き方向）に連続するソーラーパネル１を互いに連結する第一連結部材として機能する。このため、金属プレート４は、二枚のソーラーパネル１に跨ってボルト固定される。ただし、峰方向の両端（図６における左下端及び右上端）の金属プレート４は、他の金属プレート４の半分の長さで、一枚のソーラーパネル１にボルト固定される。
【００４２】
Λ字型を形成する他方の側のソーラーパネル１は、設置面３にボルト固定された金属プレート４に引っ掛けられると共に、一方の側のソーラーパネル１にボルト固定された金属プレート４に対し、金具６によって取外し可能に固定される。これにより、Λ字型が形成される。金具６は、金属プレートをＺ字に折り曲げることで成形された部品であり、金属プレート４にボルト固定される。このような金具６は、Λ字型を形成する他方の側のソーラーパネル１を個別に取外し可能に一方の側のソーラーパネル１に連結する第二連結部材として機能する。
【００４３】
［実施例１］次に、本設置構造２のソーラーパネル１による発電電力量［ｋＷｈ］について、コンピューターシミュレーションによって調べた実施例１を、図８を用いて説明する。図８（Ａ）は、ソーラーパネル１の設置構造２を示す概略図である。図８（Ｂ）は、月別発電量を示す棒グラフである。図８（Ｃ）は、月別発電量を示すグラフである。
【００４４】
コンピューターシミュレーションでは、ソーラーパネル１として、カナディアン・ソーラー・ジャパン株式会社が市販する太陽電池モジュール（型式：ＣＳ６Ｐ−２４０Ｐ）を想定した。当該太陽電池モジュールは、公称最大出力Ｐｍａｘが０．２４ｋＷである。設置場所は、神奈川県横浜市を想定した。日照量［ｋＷｈ／ｍ２］や外気温度［℃］は、横浜市の過去のデータを用いた。そして、図８（Ａ）に示されるように、南北にＶ字型となるように、南北５２枚×東西２４枚（合計１２４８枚）のソーラーパネル１を設置した。なお、南北の両端に設置されるソーラーパネル１は、ボルト固定などによって、設置面３に対して確実に固定されているものとする。水平面となすソーラーパネル１の傾斜角度αは、２０度とした。シミュレーション結果は、図８（Ｂ）及び図８（Ｃ）に示す通りである。なお、図８（Ｃ）における発電電力量（定格比）［ｋＷｈ／ｋＷｐ］は、発電電力量［ｋＷｈ］／（公称最大出力Ｐｍａｘ（０．２４ｋＷ）×ソーラーパネル枚数（１２４８枚））で求めた。年間発電量は、２７６１８７［ｋＷｈ］となった。年間原油換算削減量は、６７１１３［リットル］となった。年間二酸化炭素削減量は、９８５９９［ｋｇ］となった。
【００４５】
［実施例２］次に、本設置構造２のソーラーパネル１による発電電力量［ｋＷｈ］について、コンピューターシミュレーションによって調べた実施例２を、図９を用いて説明する。図９（Ａ）は、ソーラーパネル１の設置構造２を示す概略図である。図９（Ｂ）は、月別発電量を示す棒グラフである。図９（Ｃ）は、月別発電量を示すグラフである。
【００４６】
図９（Ａ）に示されるように、東西にＶ字型となるように、東西５２枚×南北２４枚（合計１２４８枚）のソーラーパネル１を設置した。これ以外の条件は、実施例１と同様とした。シミュレーション結果は、図９（Ｂ）及び図９（Ｃ）に示す通りである。年間発電量は、２７６８８７［ｋＷｈ］となった。年間原油換算削減量は、６７２８４［リットル］となった。年間二酸化炭素削減量は、９８８４９［ｋｇ］となった。
【００４７】
［比較例］次に、本設置構造２と比較するための設置構造のソーラーパネル１による発電電力量［ｋＷｈ］について、コンピューターシミュレーションによって調べた比較例を、図１０を用いて説明する。図１０（Ａ）は、ソーラーパネル１の設置構造を示す概略図である。図１０（Ｂ）は、月別発電量を示す棒グラフである。図１０（Ｃ）は、月別発電量を示すグラフである。
【００４８】
図１０（Ａ）に示されるように、南北４枚×東西２４枚（合計９６枚）で一つの面ユニットを形成するように、かつ、当該面ユニットが南北方向に間隔を空けて１３組並ぶように、全てのソーラーパネル１を南に向けて傾斜させて設置した。すなわち、総合計で１２４８枚のソーラーパネル１を設置した。これ以外の条件は、実施例１と同様とした。なお、比較例の設置構造は、従来一般的な設置構造である。シミュレーション結果は、図１０（Ｂ）及び図１０（Ｃ）に示す通りである。年間発電量は、３１３７０９［ｋＷｈ］となった。年間原油換算削減量は、７６２３１［リットル］となった。年間二酸化炭素削減量は、１１１９９４［ｋｇ］となった。
【００４９】
比較例では、相対的に南側のソーラーパネル１によって相対的に北側のソーラーパネル１に影が生じることを避けるために、ソーラーパネル１が南北方向に間隔を空けて設置されている。すなわち、デッドスペースが生じ、実施例１及び２と比較して、２倍程度の設置面積を必要とする。このため、比較例で設置できるソーラーパネル１の枚数は、同じ設置面積で比較した場合、実施例１及び２の半分程度と少ない。このため、実施例１及び２と同じ設置面積とした場合、比較例において、年間発電量は１６００００［ｋＷｈ］程度で、年間原油換算削減量は４００００［リットル］程度で、年間二酸化炭素削減量は６００００［ｋｇ］程度と換算される。
【００５０】
このように、実施例１及び２では、従来一般的な設置構造である比較例と比較して、年間発電量［ｋＷｈ］は、１．７倍〜２倍程度と多かった。また、実施例１及び２では、ソーラーパネル１の設置最大高さが比較例の４分の１程度（比較例が４枚分に対して、実施例１及び２が１枚分）と低く、設置作業やメンテナンス作業が安全かつ容易である。
【００５１】
従来のように、複数枚のソーラーパネルを一つの方位（例えば、南）に向けて傾斜させて設置する場合、当該ソーラーパネルによって生じる影を避けるように互いに離隔する必要がある。一方、ソーラーパネル１の設置構造２によれば、複数枚のソーラーパネル１を側面視でＶ字型を形成するように設置するので、互いに離隔しない場合であっても、当該ソーラーパネル１によって影が生じることはない。このため、より多くのソーラーパネル１を効率的に設置することができる。
【００５２】
そして、ソーラーパネル１に入射した太陽光ＳＬ１が反射した場合であっても、当該反射した太陽光ＳＬ１が、他のソーラーパネル１に向けて照射され、当該他のソーラーパネル１で受光される。これにより、ソーラーパネル１による反射損失を低減でき、より多くの電力を発電することができる。このため、ソーラーパネル１を向ける方位にとらわれず、当該ソーラーパネル１を設置することができる。
【００５３】
また、複数枚のソーラーパネルを平置きする場合、当該ソーラーパネル上に付着した塵埃が汚れとして残り易い。一方、ソーラーパネル１の設置構造２によれば、ソーラーパネル１を傾斜させて設置するので、当該ソーラーパネル１上に付着した塵埃は、自重によって下方に落下し、汚れになりにくい。また、ソーラーパネル１の設置構造２によれば、ソーラーパネル１を傾斜させて設置するので、平置きにする場合と比較して、設置に要する面積が小さくすみ、ソーラーパネルを効率的に設置することができる。
【００５４】
ソーラーパネル１は、Λ字型を形成するので、風が吹き付けられた場合であっても、当該ソーラーパネル１を突き上げるように作用する可能性は低く、風によるダメージを受けにくい。このため、陸屋根に設置する場合に、当該陸屋根の外周からソーラーパネル１までの外周離隔距離を、一つの方位に向けて傾斜させて設置する場合と比較して、大幅に狭めることができる。結果、より多くのソーラーパネルを効率的に設置することができる。
【００５５】
そして、金属プレート４及び金具６で互いに連結された複数枚のソーラーパネル１は、互いに支持し合う。これにより、土台となる骨組（架台）を設けずにソーラーパネル１を設置することができる。結果、部品点数や設置作業に要する時間を低減できる。このため、設置時にメリットがでるので、ソーラーパネル１の設置を促進することができる。具体的に、架台を設ける場合と比較して、ソーラーパネル１を除く部品のコストを５分の１以下にすることができると共に、ソーラーパネル１を除く部品の重量を１０分の１以下にすることができる。
【００５６】
また、個別に取外し可能に設置されたソーラーパネル１を取り外し、当該ソーラーパネル１や他のソーラーパネル１をメンテナンスすることができる。さらに、ソーラーパネル１を取り外した場合であっても、他のソーラーパネル１が互いに支持し合っているので、強度的な問題は生じない。
【００５７】
本発明は、上記実施形態及び上記実施例に限られるものではなく、その趣旨及び技術思想を逸脱しない範囲で種々の変形が可能である。
【００５８】
すなわち、上記実施形態及び上記実施例において、各構成の位置、大きさ、形状、材質、向き、数量などは適宜変更できる。例えば、ソーラーパネル１の大きさ、形状、数量などは適宜変更できる。また、ソーラーパネル１の設置面３への固定構造や、ソーラーパネル１の連結構造は適宜変更できる。
【００５９】
あるいは、上記実施形態及び上記実施例において、Λ字型を形成するソーラーパネル１の背面と設置面３との間に形成される空間を当該ソーラーパネル１の側方から閉塞する閉塞部材を備えるようにしてもよい。これにより、ソーラーパネル１の下方に形成される空間が閉塞されるので、ソーラーパネル１に吹き付けられる風が、当該ソーラーパネル１を突き上げるように作用する可能性はなく、風によるダメージをより受けにくくなる。
【００６０】
あるいは、上記実施形態及び上記実施例では、複数のソーラーパネル１を、Ｖ字型が連続するように設置しているが、本発明は、これに限定されず、複数のソーラーパネル１を、逆ハの字型が連続するように設置してもよい。また、上記実施形態及び上記実施例では、複数のソーラーパネル１を、Λ字型が連続するように設置しているが、本発明は、これに限定されず、複数のソーラーパネル１を、ハの字型が連続するように設置してもよい。複数のソーラーパネル１がハの字型や逆ハの字型が連続するように設置する形態としては、図１１に示すように、ハの字型や逆ハの字型を形成するソーラーパネル１の間に、別のソーラーパネル１が介在するように設置する形態も含まれる。
【００６１】
あるいは、上記実施形態及び上記実施例では、ソーラーパネル１を取り外してメンテナンスする態様を例に説明したが、本発明はこれに限定されず、ソーラーパネル１を回動可能又はスライド可能に取り付けておき、当該ソーラーパネル１を回動又はスライドさせてからメンテナンスするような態様としてもよい。
【００６２】
あるいは、上記実施形態及び実施例において、金属プレート４に代えて、図１２（Ａ）及び図１２（Ｂ）に示すような金属プレート４１，４２、すなわち、端部が折り曲げられた金属プレート４１，４２を用いるようにしてもよい。これにより、ソーラーパネル１に対する金属プレート４の引っ掛かり度合を増すことができる。結果、ソーラーパネル１をより強固に設置することができる。また、金属プレート４に代えて、図１２（Ｃ）に示すような金属プレート４３、すなわち、先に説明した金属プレート４１，４２を足し合わせたような形状に成型をした金属プレート４３を用いるようにしてもよい。
【００６３】
あるいは、上記実施形態及び実施例において、金具５に代えて、図１３（Ａ）及び図１３（Ｂ）に示すような金具５１，５２、すなわち、ソーラーパネル１への取付時にボルト突出方向に端部が折り曲げられた金具５１，５２を用いるようにしてもよい。これにより、上記実施形態及び実施例において、ソーラーパネル１を金属パネル４に引っ掛けた際にボルトの先端で一点支持していた個所が、ボルトの先端と共に金具５１，５２の折り曲げられた端部によって支持される（図４（Ａ）及び図４（Ｂ）を参考のこと）。これにより、ソーラーパネル１を金属パネル４に対して安定的に引っ掛けることができる。
【符号の説明】
【００６４】
１  ソーラーパネル
２  設置構造
３  設置面
４，４１，４２，４３  金属プレート（設置部材，第一連結部材）
６  金具（第二連結部材）
α  傾斜角度
Ｄ１，Ｄ２  方位
【要約】
【課題】より多くのソーラーパネルを効率的に設置する。
【解決手段】ソーラーパネル１の設置構造２は、複数枚のソーラーパネル１を設置面３に対して傾斜させて側面視でＶ字型を形成するように設置している。そして、本設置構造２は、複数枚のソーラーパネル１をＶ字型が連続するように設置している。また、本設置構造２は、複数枚のソーラーパネル１を、Ｖ字型が連続することで形成されるΛ字型の峰で連結する金属プレート４及び金具６を備えている。
【選択図】図１【図１】
0005315440.tif 000002
【図２】
0005315440.tif 000003
【図３】
0005315440.tif 000004
【図４】
0005315440.tif 000005
【図５】
0005315440.tif 000006
【図６】
0005315440.tif 000007
【図７】
0005315440.tif 000008
【図８】
0005315440.tif 000009
【図９】
0005315440.tif 000010
【図１０】
0005315440.tif 000011
【図１１】
0005315440.tif 000012
【図１２】
0005315440.tif 000013
【図１３】
0005315440.tif 000014